(57)【要約】【課題】収容した食品の鮮度を保持できると共に悪臭を軽減でき、又、食品熟成作用を発揮する食品容器を提供する。【解決手段】食品を収容するための容器本体２と、容器本体２を閉蓋する蓋体５とからなる。蓋体５の頂板部１２の下面１５の、その周縁部分を除く中央部分１５ａに、マイナスイオン生成作用を有するセラミックの粉末が混入された樹脂１６が付着されている。付着樹脂中のセラミックのマイナスイオン生成作用により、容器に収容された食品に対して、雑菌の繁殖を抑制でき、又、酸化を防止できる。これにより、食品の鮮度を保持できると共に悪臭を軽減できる。又、マイナスイオンの作用によって食品の熟成を図ることもできる。【選択図】　　　　図４
0003097532.tif 000002
【実用新案登録請求の範囲】
【請求項１】
食品を収容するための容器の内面の所要部位に、マイナスイオン生成作用を有するセラミックの粉末が混入された樹脂が付着されていることを特徴とする、マイナスイオン生成効果を有する食品容器。
【請求項２】
食品を収容するための容器本体と該容器本体を閉蓋する蓋体とからなり、該容器本体の内面の所要部位又は該蓋体の内面の所要部位に、マイナスイオン生成作用を有するセラミックの粉末が混入された樹脂が付着されていることを特徴とするマイナスイオン生成効果を有する食品容器。
【請求項３】
弁当箱本体と該弁当箱本体を閉蓋する蓋体とからなる弁当箱において、該蓋体の頂板部の下面に、マイナスイオン生成作用を有するセラミックの粉末が混入された樹脂が付着されていることを特徴とするマイナスイオン生成効果を有する食品容器。
【請求項４】
弁当箱本体と該弁当箱本体を閉蓋する蓋体とからなる弁当箱において、該蓋体の頂板部の下面の、周縁部分を除く中央部分に、マイナスイオン生成作用を有するセラミックの粉末が混入された樹脂が付着されていることを特徴とするマイナスイオン生成効果を有する食品容器。
【考案の詳細な説明】
【０００１】
【考案の属する技術分野】
本考案は、マイナスイオンの生成によって、収容した食品の鮮度を保持できる共に悪臭を軽減でき、又、食品熟成作用を発揮し得る、マイナスイオン生成効果を有する食品容器に関するものである。
【０００２】
【従来の技術及び考案が解決しようとする課題】
食品にマイナスイオンが放射されると、食品の鮮度を保持できる共に、各食材からのにおいが混ざる等によって生じた悪臭を軽減でき、又、食品の熟成を図り得ることが知られている。
【０００３】
本考案は、かかるマイナスイオンの作用に着眼してなされたものであり、容器に収容された食品に対して鮮度保持作用、悪臭軽減作用、食品熟成作用を発揮し得る食品容器の提供を課題とするものである。
【０００４】
【課題を解決するための手段】
前記課題を解決するため、本考案は以下の手段を採用する。
即ち、本考案に係るマイナスイオン生成効果を有する食品容器は、食品を収容するための容器の内面の所要部位に、マイナスイオン生成作用を有するセラミックの粉末が混入された樹脂が付着されていることを特徴とするものである。
【０００５】
本考案に係る食品容器の他の態様は、食品を収容するための容器本体と該容器本体を閉蓋する蓋体とからなり、該容器本体の内面の所要部位又は該蓋体の内面の所要部位に、マイナスイオン生成作用を有するセラミックの粉末が混入された樹脂が付着されていることを特徴とするものである。
【０００６】
本考案に係る食品容器のより具体的な態様は、弁当箱本体と該弁当箱本体を閉蓋する蓋体とからなる弁当箱において、該蓋体の頂板部の下面に、マイナスイオン生成作用を有するセラミックの粉末が混入された樹脂が付着されていることを特徴とするものである。この場合、前記蓋体の頂板部の下面の、その周縁部分を除く中央部分に、マイナスイオン生成作用を有するセラミックの粉末が混入された樹脂を付着させるのがよい。
【０００７】
【考案の実施の形態】
以下、本考案に係るマイナスイオン生成効果を有する食品容器（以下食品容器という）１の実施の形態を、弁当箱に応用された場合を例にとり、図面に基づいて説明する。
【０００８】
図１は、上端開放の弁当箱本体２ａとしての容器本体２と、該弁当箱本体２ａの上端開放部３を閉蓋する蓋体５とからなる弁当箱６を示すものである。
【０００９】
該弁当箱本体２ａは、四隅７，７，７，７が角落としされた八角形板状なす底板部９の外周縁で立壁１０を立設してなる上端開放の八角形状容器として構成されている。又前記蓋体５は、四隅１１，１１，１１，１１が角落としされた八角形板状をなす頂板部１２の外周縁で、弁当箱本体２ａの前記立壁１０の周囲を小間隔を空けて囲う側壁１３が下設され、弁当箱本体２ａの上端部に被る如く形成されている。
【００１０】
そして図２〜３に示すように、前記蓋体５の頂板部１２の下面１５の、その周縁部分を除く中央部分１５ａに、マイナスイオン生成作用を有するセラミックの粉末１４が混入された樹脂（例えばウレタン樹脂）１６が、手書きやスクリーン印刷等の印刷手段によって付着されている。この付着は、前記中央部分１５ａの全面を塗り潰すように行われてもよいのであるが、本実施の形態においては、付着状態のデザイン性と、付着量を少なくすることに伴う経済性を考慮して、塗り潰された正方形状部１７と、平行する３本の直線を組み合わせた線状部１８を交互に配置している。
【００１１】
該セラミックとしては、例えば株式会社エコホリスティック社製の商品名「マイナスイオンセラミック」を用い、その粉末のメッシュは、１〜６μ程度のものを用いるのがよい。
【００１２】
然して図４に示すように、かかる構成を有する弁当箱本体２ａ内にご飯やおかずを収容した後、前記蓋体５で閉蓋するのであるが、同図においては、収容した弁当１９の上面２０と蓋体５の前記頂板部１２との間に空間部２１が形成されている。この空間部２１には、ご飯等から蒸発した水分が存在しているので、前記付着樹脂中のセラミックからの放射線が、この水分に作用してマイナスイオンが生成される。
【００１３】
これにより、弁当箱６に収容した御飯等に雑菌が繁殖するのを抑制でき、又、御飯等の酸化を防止できるため、弁当の鮮度保持を達成できると共に、各食材からのにおいが混ざって生じた悪臭を軽減できる。
【００１４】
本実施の形態においては、前記蓋体５の頂板部１２の下面１５の、その周縁部分を除く中央部分１５ａに、マイナスイオン生成作用を有するセラミックの粉末が混入された樹脂１６を付着させているため、蓋体５の前後を逆にして閉蓋したとしても、方向性が生じない。
【００１５】
〔その他の実施の形態〕
本考案は、前記実施の形態で示したものに限定されるものでは決してなく、「実用新案登録請求の範囲」の記載内で種々の設計変更が可能であることはいうまでもない。その一例を挙げれば次のようである。
【００１６】
（１）　本考案の食品容器は、前記した弁当箱に応用されることの他、水分を含む食品を収容するための各種の容器に対して応用されるものであり、この容器は、蓋体５を用いないものであってもよい。
【００１７】
（２）　マイナスイオン生成作用を有するセラミックの粉末が混入された樹脂が付着される面は、容器本体２や蓋体５の内面全体であることの他、マイナスイオンの効率的な生成や経済性を考慮して、これら内面の一部分に設定されることもある。例えば弁当箱にあっては、その蓋体の頂板部の下面や、容器本体の底面、側面の一部分に設定される。又、蓋体を用いない容器にあっては、その底面や側面の一部分に設定される。そして、このように一部分に付着させる場合、容器の意匠効果を考慮して各種模様を構成するように付着させるのがよい。
【００１８】
（３）　前記樹脂の付着は、前記樹脂が付着されたシールの貼着により行ってもよい。
【００１９】
（４）　前記樹脂には、前記セラミックの粉末に加えてトルマリンの粉末が混入されることもある。
【００２０】
【考案の効果】
本考案は以下の如き優れた効果を奏する。
（１）　本考案に係る食品容器によるときは、付着樹脂中のセラミックのマイナスイオン生成効果により、容器に収容された食品に対して、雑菌の繁殖を抑制でき、又、酸化を防止できる。これにより、御飯等の鮮度を保持できると共に悪臭を軽減できる。又、マイナスイオンの作用によって食品の熟成を図ることもできる。
【００２１】
（２）　本考案を弁当箱に応用した場合において、蓋体の頂板部の下面に、マイナスイオン生成作用を有するセラミックの粉末が混入された樹脂を付着させる構成を採用したときは、御飯等の上面と蓋体間の空間部が、御飯等から蒸発した水分で満たされることから、前記セラミックの放射線がこの水分に作用してマイナスイオンが生成されやすい。
従って、各食材のにおいが混ざってこもった前記空間部における悪臭を軽減できると共に、弁当箱に収容した御飯等に雑菌が繁殖するのを効果的に抑制でき、弁当の鮮度保持を達成できる。
特に、前記蓋体の頂板部の下面の、周縁部分を除いた中央部分に、前記セラミック粉末が混入された樹脂を付着させる構成を採用したときは、蓋体を閉じる際の方向性が無くなる利点があると共に、少ない量で効率的にマイナスイオンを生成させ得る経済性がある。
【図面の簡単な説明】
【図１】本考案に係る食品容器を示す分解斜視図である。
【図２】その蓋体を示す斜視図である。
【図３】セラミックの粉末が混入された樹脂が付着された頂板部の断面図である。
【図４】本考案に係る食品容器の使用状態を示す断面図である。
【符号の説明】
１　食品容器
２　容器本体
５　蓋体
１２　蓋体の頂板部
１４　セラミックの粉末
１６　セラミックの粉末が混入された樹脂
【図１】
0003097532.tif 000003
【図２】
0003097532.tif 000004
【図３】
0003097532.tif 000005
【図４】
0003097532.tif 000006